(57)【要約】【課題】排尿に関する情報を詳細に管理できる排尿量管理システムを提供する。【解決手段】排尿量演算部３５２は、体重計測部２から送信される排尿前の体重値の情報、及び、排尿後の体重値の情報に基づいて、被検者の排尿量を自動的に算出する。記憶部３４は、算出された被検者の排尿量を排尿量情報４２とし、付加情報入力受付部３５４が受け付けた排尿に関する付加情報４４と対応付ける。そして、これらの互いに対応付られた情報を排尿情報４０として記憶する。そのため、排尿に関する情報を詳細に管理できる。【選択図】  図２
2018175349.tif 000002
【特許請求の範囲】
【請求項１】
被検者の排尿量を管理するための排尿量管理システムであって、
排尿前後における被検者の体重を測定する体重測定部と、
前記体重測定部による測定結果に基づいて、排尿量を演算する排尿量演算部と、
排尿に関する付加情報の入力を受け付ける付加情報入力受付部と、
前記排尿量演算部により演算された排尿量に対応付けて、前記付加情報入力受付部により入力が受け付けられた付加情報を記憶する記憶部と、を備えることを特徴とする排尿量管理システム。
【請求項２】
前記付加情報には、外出中の排尿か否か、排尿時の大便の有無、被検者による排尿量の評価、排尿前の尿意の有無、及び、排尿前の尿失禁の有無の少なくとも１つが含まれることを特徴とする請求項１に記載の排尿量管理システム。
【請求項３】
前記付加情報として、外出中の排尿である旨の情報、又は、排尿時に大便があった旨の情報の入力が前記付加情報入力受付部により受け付けられた場合に、前記記憶部に記憶されている過去の排尿量を読み出す情報読出部と、
前記情報読出部により読み出された過去の排尿量に基づいて、外出中の排尿量、又は、大便時の排尿量を推定値として前記記憶部に記憶させる推定値記憶処理部と、をさらに備えることを特徴とする請求項２に記載の排尿量管理システム。
【請求項４】
前記情報読出部は、前記付加情報として、外出中の排尿である旨の情報、又は、排尿時に大便があった旨の情報とともに、被検者による排尿量の評価の入力が前記付加情報入力受付部により受け付けられた場合に、同一の評価に対応付けて前記記憶部に記憶されている過去の排尿量を読み出すことを特徴とする請求項３に記載の排尿量管理システム。
【請求項５】
前記推定値記憶処理部は、前記情報読出部により読み出された過去の排尿量の平均値を算出し、その平均値を前記推定値として前記記憶部に記憶させることを特徴とする請求項３又は４に記載の排尿量管理システム。
【請求項６】
複数の被検者から識別情報の入力を受け付ける識別情報入力受付部をさらに備え、
前記記憶部には、前記識別情報入力受付部により入力が受け付けられた各被検者の識別情報に対応付けて、排尿量及び付加情報が記憶されることを特徴とする請求項１〜５のいずれか１項に記載の排尿量管理システム。
【請求項７】
前記体重測定部とは分離して構成され、当該体重測定部との間で通信可能な端末装置をさらに備え、
前記付加情報入力受付部は、前記端末装置に備えられていることを特徴とする請求項１〜６のいずれか１項に記載の排尿量管理システム。
【発明の詳細な説明】
【技術分野】
【０００１】
本発明は、被検者の排尿量を管理するための排尿量管理システムに関するものである。
【背景技術】
【０００２】
排尿障害などの排尿に関する各種症状を有する被検者に対して、排尿量の管理が実施される場合がある。具体的には、被検者は、毎回の排尿時に容器内に排尿し、その容器に備えられている目盛を用いて排尿量を測定する。そして、被検者は、毎回の排尿の排尿量や排尿日時などを記録紙に記録して、医師などの検査者に提出する。検査者は、被検者から提出された記録紙を確認することにより、被検者の症状の推移を観察し、適切に対処することができる。
【０００３】
しかしながら、毎回の排尿時に上記のような容器内に排尿する作業は、被検者にとって非常に煩わしい。そこで、従来から、被検者に関する情報を測定し、その測定結果に基づいて、排尿量を演算して管理する排尿量管理システムが知られている。
【０００４】
この種の排尿量管理システムとして、被検者の排尿中の体重変化を計測する体重計測部と、排尿中の時間を計る計時部と、排尿量を演算する排尿演算部とを備える排尿量管理システムが提案されている（例えば、下記特許文献１参照）。
【０００５】
この排尿量管理システムでは、体重計測部で計測された排尿中の体重変化量、及び、計時部で計られた排尿中の時間に基づくデータから、排尿演算部によって被検者の排尿量が演算される。また、特許文献１には、排尿前後の体重値から総排尿量を求めるような構成も開示されている。
【０００６】
同様に、この種の排尿量管理システムとして、便器内の水位を測定する水位測定手段と、排尿量を算出する尿量算出手段とを備える排尿量管理システムが提案されている（例えば、下記特許文献２参照）。
この排尿量管理システムでは、尿量算出手段は、水位測定手段によって測定された水位測定値に基づいて被検者の排尿量を算出する。
【先行技術文献】
【特許文献】
【０００７】
【特許文献１】特開２００２−３４５７９３号公報
【特許文献２】特開２００６−２１９９７７号公報
【発明の概要】
【発明が解決しようとする課題】
【０００８】
上記のような従来の排尿量管理システムでは、被検者にとって煩雑さを回避しながら排尿量を管理することができるものの、排尿に関する他の情報を詳細には管理できないという不具合がある。すなわち、被検者が排尿量や排尿日時などを記録紙に記録して検査者に提出するような方法であれば、排尿に関する他の情報を被検者が手軽に記録紙に追記することができ、それらの情報も加味して検査者が適切に対処することが可能であった。しかし、上記のような従来の排尿量管理システムでは、排尿量以外の情報であって、検査に有用な排尿に関する情報までは詳細に管理できないという不具合がある。
本発明は、上記実情に鑑みてなされたものであり、排尿に関する情報を詳細に管理できる排尿量管理システムを提供することを目的とする。
【課題を解決するための手段】
【０００９】
（１）本発明に係る排尿量管理システムは、被検者の排尿量を管理するための排尿量管理システムであって、体重測定部と、排尿量演算部と、付加情報入力受付部と、記憶部と、を備える。前記体重測定部は、排尿前後における被検者の体重を測定する。前記排尿量演算部は、前記体重測定部による測定結果に基づいて、排尿量を演算する。前記付加情報入力受付部は、排尿に関する付加情報の入力を受け付ける。前記記憶部は、前記排尿量演算部により演算された排尿量に対応付けて、前記付加情報入力受付部により入力が受け付けられた付加情報を記憶する。
【００１０】
このような構成によれば、排尿量演算部は、排尿前後における被検者の体重の測定結果に基づいて、被検者の排尿量を自動的に算出する。記憶部は、算出された被検者の排尿量に加えて、入力された付加情報を当該排尿量に対応付けて記憶する。
そのため、排尿に関する情報を詳細に管理できる。
【００１１】
（２）また、前記付加情報には、外出中の排尿か否か、排尿時の大便の有無、被検者による排尿量の評価、排尿前の尿意の有無、及び、排尿前の尿失禁の有無の少なくとも１つが含まれてもよい。
【００１２】
このような構成によれば、排尿に関する付加情報として検査に有用な情報を管理できる。外出中の排尿か否か、及び、排尿時の大便の有無は、それぞれ排尿量演算部による排尿量の演算が困難であるか否かを表す情報として有用である。被検者による排尿量の評価は、被検者の感覚を実際の排尿量に関連付ける情報として有用である。排尿前の尿意の有無、及び、排尿前の尿失禁の有無は、検査結果に影響を与え得る排尿前の情報として有用である。
【００１３】
（３）また、前記排尿量管理システムは、情報読出部と、推定値記憶処理部と、をさらに備えてもよい。前記情報読出部は、前記付加情報として、外出中の排尿である旨の情報、又は、排尿時に大便があった旨の情報の入力が前記付加情報入力受付部により受け付けられた場合に、前記記憶部に記憶されている過去の排尿量を読み出す。前記推定値記憶処理部は、前記情報読出部により読み出された過去の排尿量に基づいて、外出中の排尿量、又は、大便時の排尿量を推定値として前記記憶部に記憶させる。
【００１４】
このような構成によれば、外出中の排尿である場合、又は、排尿時に大便があった場合のように、排尿量演算部による排尿量の演算が困難である場合に、記憶部に記憶されている過去の排尿量に基づいて、外出中の排尿量、又は、大便時の排尿量を推定値として記憶部に記憶させる。
【００１５】
そのため、排尿量演算部による排尿量の演算が困難である場合でも、記憶部に排尿量の情報を記憶させることができ、排尿に関する情報をより詳細に管理できる。
【００１６】
（４）また、前記情報読出部は、前記付加情報として、外出中の排尿である旨の情報、又は、排尿時に大便があった旨の情報とともに、被検者による排尿量の評価の入力が前記付加情報入力受付部により受け付けられた場合に、同一の評価に対応付けて前記記憶部に記憶されている過去の排尿量を読み出してもよい。
【００１７】
このような構成によれば、情報読出部は、排尿量演算部による排尿量の演算が困難である場合に、記憶部に記憶されている過去の排尿量のうち、被検者の感覚に基づいて実際の排尿量に近い情報を読み出し、推定値として記憶部に記憶させることができる。
そのため、排尿量演算部による排尿量の演算が困難である場合でも、排尿に関する情報を精度よく管理できる。
【００１８】
（５）また、前記推定値記憶処理部は、前記情報読出部により読み出された過去の排尿量の平均値を算出し、その平均値を前記推定値として前記記憶部に記憶させてもよい。
【００１９】
このような構成によれば、推定値記憶処理部は、記憶部に蓄積されている過去の排尿量を用いて、実際の排尿量に近い値を算出し、推定値として記憶部に記憶させることができる。
そのため、排尿に関する情報を精度よく管理できる。
【００２０】
（６）また、前記排尿量管理システムは、識別情報入力受付部をさらに備えてもよい。前記識別情報入力受付部は、複数の被検者から識別情報の入力を受け付ける。前記記憶部には、前記識別情報入力受付部により入力が受け付けられた各被検者の識別情報に対応付けて、排尿量及び付加情報が記憶されてもよい。
【００２１】
このような構成によれば、被検者が複数存在する場合であっても、被検者ごとに排尿量及び付加情報を管理できる。
そのため、各被検者に応じて排尿に関する情報を詳細に管理できる。
【００２２】
（７）また、前記排尿量管理システムは、端末装置をさらに備えてもよい。前記端末装置は、前記体重測定部とは分離して構成され、当該体重測定部との間で通信可能である。前記付加情報入力受付部は、前記端末装置に備えられてもよい。
【００２３】
このような構成によれば、端末装置を独立して持ち運ぶことができる。
そのため、被検者が外出した場合などでも、端末装置を持ち運ぶことにより、外出先において、排尿量管理システムを使用できる。
【発明の効果】
【００２４】
本発明によれば、排尿量演算部により算出された被検者の排尿量に加えて、入力された付加情報が当該排尿量に対応付けて記憶部に記憶されるため、排尿に関する情報を詳細に管理できる。
【図面の簡単な説明】
【００２５】
【図１】本発明の一実施形態に係る排尿量管理システムを示した概略図である。
【図２】図１の被検者端末の具体的構成を示したブロック図である。
【図３】被検者端末の制御部の処理の一例であって、通常時における処理を示したフローチャートである。
【図４】被検者端末の制御部の処理の一例であって、被検者が外出した場合における処理を示したフローチャートである。
【図５】被検者端末の制御部の処理の一例であって、被検者が排便した場合における処理を示したフローチャートである。
【発明を実施するための形態】
【００２６】
１．排尿量管理システムの全体構成
図１は、本発明の一実施形態に係る排尿量管理システム１を示した概略図である。
排尿量管理システム１は、体重計測部２と、端末装置の一例としての被検者端末３と、被検者端末３とネットワークＮを介して通信可能なクラウドサーバ４と、クラウドサーバ４とネットワークＮを介して通信可能な検査者端末５とを備えている。
【００２７】
体重計測部２は、例えば、公知の体重計などによって構成されており、ボックス状に形成されている。体重計測部２は、排尿量管理システム１を用いた検査の対象となる被検者がその上面に乗った場合に、被検者の体重を計測するように構成されている。体重計測部２は、送信部（図示せず）を備えており、この送信部から、計測した体重値の情報を無線によって被検者端末３に送信するように構成されている。体重計測部２は、通常、自宅のトイレの近傍に配置されている。
【００２８】
被検者端末３は、例えば、タブレット端末などによって構成されており、体重計測部２と分離して構成されている。被検者端末３は、後述するように、体重計測部２から送信される体重値の情報を受信するように構成されている。すなわち、被検者端末３は、体重測定部３と通信可能である。また、被検者端末３は、後述するように、体重値に基づいて排尿量を演算し、また、排尿量に関する付加情報の入力を受け付けるように構成されている。被検者端末３は、これらの演算した排尿量、及び、付加情報などをインターネットＮを介してクラウドサーバ４に送信するように構成されている。
クラウドサーバ４は、被検者端末３から送信される情報を記憶するように構成されている。
【００２９】
検査者端末５は、例えば、パーソナルコンピュータや、タブレット端末などの各種装置によって構成されている。検査者端末５は、クラウドサーバ４が記憶する情報をインターネットＮを介して読み出すように構成されている。
【００３０】
排尿量管理システム１を用いた排尿量の管理においては、まず、被検者は、排尿前に、体重計測部２の上面に乗る。体重計測部２は、被検者の排尿前の体重を計測し、計測した体重値を被検者端末３に送信する。
【００３１】
そして、被検者は、トイレで排尿を済ませた後、再度、体重計測部２の上面に乗るとともに、被検者端末３において排尿に関する付加情報を入力する。体重計測部２は、被検者の排尿後の体重を計測し、計測した体重値を被検者端末３に送信する。
【００３２】
また、被検者端末３は、排尿前後の体重値から排尿量を演算する。また、被検者端末３は、演算した排尿量とともに付加情報を、インターネットＮを介してクラウドサーバ４に送信する。クラウドサーバ４は、受信した排尿量及び付加情報を記憶する。
【００３３】
医師などの検査者は、検査者端末５を用いて、インターネットＮを介してクラウドサーバ４に記憶されている排尿量及び付加情報を読み出す。そして、検査者は、検査者用端末５上において、被検者の排尿量及び付加情報を確認し、確認した情報に基づいて被検者の症状の推移を観察する。
【００３４】
このように、排尿量管理システム１では、検査者は、検査端末５上において、被検者の排尿量に加えて、検査に有用である排尿に関する付加情報を確認できるため、適切に検査を行うことができる。また、後述するように、排尿量管理システム１では、被検者端末３において、入力された付加情報に応じて排尿量が算出される。
【００３５】
２．被検者端末の具体的構成
図２は、図１の被検者端末３の具体的構成を示したブロック図である。
被検者端末３は、通信部３１と、操作表示部３２と、カメラ３３と、記憶部３４と、制御部３５とを備えている。
【００３６】
通信部３１は、無線により情報を送受信するように構成されている。具体的には、通信部３１は、体重計測部２からの情報を受信する受信部、及び、クラウドサーバ４にインターネットＮを介して情報を送信する送信部を構成している。
操作表示部３２は、例えば、タッチパネルなどにより構成されている。
【００３７】
カメラ３３は、例えば、ＣＣＤカメラ又はＣＭＯＳカメラなどにより構成されており、バーコードを読み取るように構成されている。すなわち、カメラ３３は、バーコードの情報が識別情報として入力されるように構成されている。ただし、バーコード読取端末などを用いてバーコードを読み取るような構成であってもよい。
【００３８】
記憶部３４は、例えば、ＲＯＭ（Read Only Memory）、ＲＡＭ（Random Access Memory）及びハードディスクなどにより構成されている。記憶部３４は、複数の排尿情報４０を記憶している。
各排尿情報４０には、識別情報４１と、排尿量情報４２と、日時情報４３と、付加情報４４とが含まれている。
識別情報４１は、被検者を識別するための情報であって、被検者ごとに異なる情報である。
排尿量情報４２は、被検者の排尿量の情報である。
日時情報４３は、被検者が排尿した日時の情報である。
【００３９】
付加情報４４は、被検者の排尿に関する情報であって、検査に有用な情報である。後述するように、付加情報４４には、外出中の排尿か否かの情報と、排尿時の大便の有無の情報と、被検者による排尿量の評価の情報と、排尿前の尿意の有無の情報と、排尿前の尿失禁の有無の情報とが含まれる。
このように、各排尿情報４０では、識別情報４１、排尿量情報４２、日時情報４３及び付加情報４４が互いに対応付けられている。
【００４０】
制御部３５は、例えば、ＣＰＵ（Central Processing Unit）を含む構成である。制御部３５は、通信部３１、操作表示部３２及びカメラ３３との間で、電気信号の入力又は出力が可能である。制御部３５は、必要に応じて記憶部３４に対するデータの入出力を行う。制御部３５は、ＣＰＵがプログラムを実行することにより、例えば、情報出力部３５１、排尿量演算部３５２、表示処理部３５３、付加情報入力受付部３５４、情報読出部３５５、推定値記憶処理部３５６及び識別情報入力受付部３５７として機能する。
情報出力部３５１は、記憶部３４に記憶されている排尿情報４０を読み出し、その読み出した排尿情報４０を通信部３１からクラウドサーバ４に送信する。
【００４１】
排尿量演算部３５２は、通信部３１を介して体重測定部２からの情報を受信し、受信した情報に基づいて被検者の排尿量を演算する。具体的には、排尿量演算部３５２は、通信部３１において受信した被検者の体重値に基づいて被検者の排尿量を演算するとともに、演算した排尿量の情報を排尿量情報４２として記憶部３４に格納する。
表示処理部３５３は、操作表示部３２に対する表示を制御する。
【００４２】
付加情報入力受付部３５４は、操作表示部３２に入力された付加情報を受け付ける。そして、付加情報入力受付部３５４は、受け付けた付加情報４４を記憶部３４に格納する。
【００４３】
情報読出部３５５は、付加情報入力受付部３５４において受け付けられた付加情報に基づいて、記憶部３４に記憶されている排尿情報４０を読み出す。
【００４４】
推定値記憶処理部３５６は、情報読出部３５５により読み出された排尿情報４０に基づいて、排尿量を推定値として算出する。そして、推定値記憶処理部３５６は、算出した推定値を記憶部３４に格納する。
【００４５】
識別情報入力受付部３５７は、カメラ３３を介して入力された識別情報を受け付ける。排尿量演算部３５２及び付加情報入力受付部３５４は、識別情報入力受付部３５７により受け付けられた識別情報４１に対応付けて、排尿量情報４２及び付加情報４４を記憶部３４に格納する。
また、被検者端末３は、図示しない計時部を備えており、この計時部が計る日時の情報が日付情報４３として記憶部３４に格納される。
【００４６】
３．被検者端末の制御動作
（１）通常時における制御動作
図３は、被検者端末３の制御部３５の処理の一例であって、通常時における処理を示したフローチャートである。なお、通常時とは、被検者が外出中でなく、被検者の排尿時に排便をともなわない場合をいう。
【００４７】
排尿量管理システム１では、複数の被検者の排尿に関する情報を管理可能である。そして、各被検者には、被検者を識別するためのバーコードが予め付与されている。
【００４８】
被検者は、排尿を行う場合には、まず、体重計測部２の電源をオンする。また、被検者は、付与されているバーコードをカメラ３３にかざす。
【００４９】
すると、カメラ３３によって、被検者のバーコードが読み取られる。そして、カメラ３３には、読み取ったバーコードの情報が識別情報として入力される。また、識別情報入力受付部３５７によって、カメラ３３に入力された識別情報が受け付けられるとともに、受け付けられた識別情報に対応する被検者の測定が開始される。
被検者端末３の操作表示部３２には、例えば外出中のボタンの他、排尿前の測定、及び、排尿後の測定のボタンが選択可能に表示される。
そして、被検者によって、排尿前の測定のボタンが選択されると（ステップＳ１０１）、被検者端末３から体重計測部２に排尿前の測定を指示する信号が送信されることにより、体重計測部２が測定可能な状態となる（ステップＳ１０２）。
【００５０】
次いで、被検者は、体重計測部２に乗る。すると、体重計測部２によって、被検者の体重が計測されるとともに、計測された体重値の情報が被検者端末３に向けて送信される。また、被検者端末３では、通信部３１によって体重計測部２から送信される排尿前の体重値の情報が受信される（ステップＳ１０３でＹｅｓ）。
その後、被検者は、体重計測部２から降りて、トイレで排尿を行う。また、体重計測部２は、待機状態となる。
そして、被検者によって、排尿後の測定のボタンが選択されると（ステップＳ１０４）、被検者端末３から体重計測部２に排尿後の測定を指示する信号が送信されることにより、体重計測部２が測定可能な状態となる（ステップＳ１０５）。
【００５１】
次いで、被検者は、体重計測部２に乗る。すると、体重計測部２によって、被検者の体重が計測されるとともに、計測された体重値の情報が被検者端末３に向けて送信される。また、被検者端末３では、通信部３１によって体重計測部２から送信される排尿後の体重値の情報が受信される（ステップＳ１０６でＹｅｓ）。
【００５２】
排尿量演算部３５２では、体重計測部２から送信された測定結果、すなわち、排尿前の体重値の情報、及び、排尿後の体重値の情報に基づいて排尿量が演算される（ステップＳ１０７）。具体的には、排尿前の体重値から排尿後の体重値を減算することにより排尿量が演算される。すなわち、排尿前の体重値と排尿後の体重値との差が排尿量として演算される。
【００５３】
そして、被検者端末３の操作表示部３２に、付加情報を入力すべき旨の指示が表示される。具体的には、操作表示部３２に、付加情報として、排尿時の大便の有無、排尿量の評価、排尿前の尿意の有無、排尿前の尿失禁の有無のボタンのそれぞれが選択可能に表示される。
【００５４】
排尿時の大便の有無のボタンは、排尿時に排便をしたか否かを入力するためのボタンであって、例えば、排尿時の大便が有る、と、排尿時の大便が無い、のいずれかのボタンが選択可能に表示される。
【００５５】
排尿量の評価のボタンは、被検者自身が排尿量をどの程度と評価しているかを入力するためのボタンであって、例えば、多い、普通、少ない、といった複数のボタンが選択可能に表示される。
【００５６】
排尿前の尿意の有無のボタンは、被検者が排尿前に尿意を感じたか否かを入力するためのボタンであって、例えば、排尿前の尿意が有る、排尿前の尿意が無い、といった複数のボタンが選択可能に表示される。
【００５７】
排尿前の尿失禁の有無のボタンは、被検者が排尿前に尿失禁をしたか否かを入力するためのボタンであって、例えば、排尿前の尿失禁が有る、排尿前の尿失禁が無い、といった複数のボタンが選択可能に表示される。
【００５８】
例えば、被検者が排尿する際に、排尿前に尿意が有り、排尿前に尿失禁が無く、排尿時に排便をせず、被検者自身が排尿量を普通と感じている場合には、被検者は、排尿時の大便が無いのボタン、排尿量が普通のボタン、排尿前の尿意が有るのボタン、及び、排尿前の尿失禁が無いのボタンをそれぞれ選択する。
【００５９】
このようにして付加情報４４の入力が行われた場合には（ステップＳ１０８でＹｅｓ）、付加情報入力受付部３５４によって、入力された付加情報４４が受け付けられ、その付加情報４４が記憶部３４に格納される。なお、この場合、付加情報４４には、外出中の排尿ではない旨の情報が含まれる。
【００６０】
このとき、記憶部３４では、付加情報４４が他の情報に対応付けて記憶される。すなわち、記憶部３４において、識別情報入力受付部３５７が受け付けた識別情報４１に対応付けて、排尿量演算部３５２により演算された排尿量情報４２、排尿量が演算された日時情報４３、及び、付加情報入力受付部３５４が受け付けた付加情報４４が記憶される。記憶部３４では、この互いに対応づけられた情報が排尿情報４０として記憶される。なお、この場合、排尿量情報４２は、実測値として記憶部３４に記憶される（ステップＳ１０９）。
その後、被検者は、体重計測部２から降りるとともに、体重計測部２の電源をオフする。
そして、被検者が排尿を行うたびに、上記の動作が繰り返される。
【００６１】
このようにして、記憶部３４に複数の排尿情報４０が記憶される。また、記憶部３４に記憶された複数の排尿情報４０は、情報出力部３５１から通信部３１を介してクラウドサーバ４（図１参照）に送信され、記憶される。検査者は、検査者端末５上で、クラウドサーバ４に記憶されている排尿情報４０を確認することができる。
【００６２】
（２）被検者が外出した場合における制御動作
図４は、被検者端末３の制御部３５の処理の一例であって、被検者が外出した場合における処理を示したフローチャートである。
被検者は、外出中は、被検者端末３を持ち運び、排尿したときに被検者端末３上で必要な情報を入力する。あるいは、被検者が外出先から自宅に帰った後に、外出中の排尿に関する情報を被検者端末３上で入力してもよい。
【００６３】
具体的には、被検者は、排尿後に、付与されているバーコードをカメラ３３にかざす。すると、上記と同様にして、被検者の識別情報が識別情報入力受付部３５７により受け付けられ、その識別情報に対応する入力が開始される。
【００６４】
被検者によって、操作表示部３２に表示された外出中のボタンが選択されると（ステップＳ２０１でＹｅｓ）、さらに、被検者端末３の操作表示部３２に、排尿量の評価のボタンが表示される。
【００６５】
排尿量の評価のボタンは、被検者自身が排尿量をどの程度と評価しているかを入力するためのボタンであって、上記した通常時の付加情報における排尿量の評価のボタンと同一のボタンである。すなわち、被検者端末３の操作表示部３２に、例えば、多い、普通、少ない、といった複数のボタンが選択可能に表示される。
【００６６】
被検者によって、排尿量の評価のボタンが選択されると（ステップＳ２０２でＹｅｓ）、情報読出部３５５は、記憶部３４に記憶されている複数の排尿情報４０のうち、付加情報４４において、排尿量の評価が同一の評価である排尿情報４０を読み出す（ステップＳ２０３）。例えば、被検者によって、排尿量の評価のボタンにおいて普通のボタンが選択された場合には、情報読出部３５５は、記憶部３４に記憶されている同一の被検者の排尿情報４０のうち、付加情報４４において、排尿量の評価が普通の評価である１つ又は複数の排尿情報４０を読み出す。
【００６７】
推定値記憶処理部３５６は、読み出された同一の評価の排尿情報４０が複数である場合には、これらの排尿情報４０の排尿量情報４２から平均値を算出する（ステップＳ２０４）。そして、推定値記憶処理部３５６は、この算出した値を推定値の排尿量として、記憶部３４に格納する。なお、読み出された同一の評価の排尿情報４０が１つだけである場合には、その排尿情報４０の排尿量情報４２が推定値として記憶部３４に格納される。
【００６８】
このとき、記憶部３４では、排尿量の情報が排尿量情報４２として、他の情報に対応付けられて記憶される。すなわち、記憶部３４において、識別情報入力受付部３５７が受け付けた識別情報４１に対応付けて、推定値として算出された排尿量情報４２、排尿量が算出された日時情報４３、及び、外出中の排尿である旨の付加情報４４が記憶される。記憶部３４では、この互いに対応づけられた情報が排尿情報４０として記憶される。なお、この場合、排尿量情報４２は、推定値として記憶部３４に記憶される（ステップＳ２０５）。
【００６９】
（３）被検者が排便した場合における制御動作
図５は、被検者端末３の制御部３５の処理の一例であって、被検者が排便した場合における処理を示したフローチャートである。
被検者が、排尿と合わせて排便した場合には、記憶部３４には、排尿量情報４２として推定値が記憶される。
【００７０】
具体的には、図３のステップＳ１０８において、被検者によって、操作表示部３２上で、排尿時の大便が有るのボタンが選択された場合には（ステップＳ３０１でＹｅｓ）、情報読出部３５５は、記憶部３４に記憶されている複数の排尿情報４０のうち、付加情報４４において、排尿時の大便が無い１つ又は複数の排尿情報４０（排尿量情報４２が実測値である排尿情報４０）を読み出す（ステップＳ３０２）。
【００７１】
推定値記憶処理部３５６は、読み出された排尿情報４０が複数である場合には、これらの排尿情報４０の排尿量情報４２から平均値を算出する（ステップＳ３０３）。そして、推定値記憶処理部３５６は、この算出した値を推定値の排尿量として、記憶部３４に格納する。なお、読み出された排尿情報４０が１つだけである場合には、その排尿情報４０の排尿量情報４２が推定値として記憶部３４に格納される。
【００７２】
このとき、記憶部３４では、排尿量の情報が排尿量情報４２として、他の情報に対応付けられて記憶される。すなわち、記憶部３４において、識別情報入力受付部３５７が受け付けた識別情報４１に対応付けて、推定値として算出された排尿量情報４２、排尿量が算出された日時情報４３、及び、排尿時の大便が有る旨の付加情報４４が記憶される。記憶部３４では、この互いに対応づけられた情報が排尿情報４０として記憶される。なお、この場合、排尿量情報４２は、推定値として記憶部３４に記憶される（ステップＳ３０４）。
【００７３】
４．作用効果
（１）本実施形態では、図２に示すように、排尿量演算部３５２は、排尿前の体重値の情報、及び、排尿後の体重値の情報に基づいて、被検者の排尿量を自動的に算出する。記憶部３４は、算出された被検者の排尿量を排尿量情報４２とし、付加情報４４を対応付けて記憶する。
そのため、排尿に関する情報を詳細に管理できる。
【００７４】
（２）また、本実施形態では、付加情報４４には、外出中の排尿か否かの情報、排尿時の大便の有無の情報、被検者による排尿量の評価の情報、排尿前の尿意の有無の情報、及び、排尿前の尿失禁の有無の情報が含まれる。
【００７５】
そのため、検査に有用な付加情報４４を管理できる。付加情報４４のうち、外出中の排尿か否かの情報、及び、排尿時の大便の有無の情報は、それぞれ排尿量演算部３５２による排尿量の演算が困難であるか否かを表す情報として有用である。また、被検者による排尿量の評価の情報は、被検者の感覚を実際の排尿量に関連付ける情報として有用である。また、排尿前の尿意の有無の情報、及び、排尿前の尿失禁の有無の情報は、検査結果に影響を与え得る排尿前の情報として有用である。
【００７６】
（３）また、本実施形態では、図４又は図５に示すように、情報読出部３５５は、付加情報４４として、外出中の排尿である旨の情報、又は、排尿時に大便があった旨の情報の入力が付加情報入力受付部３５４により受け付けられた場合に、記憶部３４に記憶されている過去の排尿情報４０を読み出す。推定値記憶処理部３５６は、情報読出部３５５により読み出された過去の排尿情報４０における排尿量情報４２に基づいて、排尿量を算出し、この算出した値を推定値の排尿量として、記憶部３４に格納する。
【００７７】
すなわち、外出中の排尿である場合、又は、排尿時に大便があった場合のように、排尿量演算部３５２による排尿量の演算が困難である場合に、記憶部３４に記憶されている過去の排尿情報４０に基づいて、外出中の排尿量、又は、大便時の排尿量を推定値として記憶部３４に記憶させる。
【００７８】
そのため、排尿量演算部３５２による排尿量の演算が困難である場合でも、記憶部３４に排尿量の情報を記憶させることができ、排尿に関する情報をより詳細に管理できる。
【００７９】
（４）また、本実施形態では、図４に示すように、情報読出部３５５は、付加情報４４として、外出中の排尿である旨の情報とともに、被検者による排尿量の評価の入力が付加情報入力受付部３５４により受け付けられた場合に、排尿量の評価が同一の評価である排尿情報４０を読み出す。
【００８０】
そのため、情報読出部３５５は、排尿量演算部３５２による排尿量の演算が困難である場合に、記憶部３４に記憶されている過去の排尿情報４０のうち、被検者の感覚に基づいて実際の排尿量に近い排尿量情報４２を含む排尿情報４０を読み出し、推定値記憶処理部３５６が算出した推定値を記憶部３４に記憶させることができる。
そのため、排尿量演算部３５２による排尿量の演算が困難である場合でも、排尿に関する情報を精度よく管理できる。
【００８１】
（５）また、本実施形態では、図４又は図５に示すように、推定値記憶処理部３５６は、情報読出部３５５により読み出された過去の排尿量情報４２の平均値を算出し、その平均値を推定値として記憶部３４に記憶させる。
【００８２】
そのため、推定値記憶処理部３５６は、記憶部３４に蓄積されている過去の排尿量情報４２を用いて、実際の排尿量に近い値を算出し、推定値として記憶部３４に記憶させることができる。
その結果、排尿に関する情報を精度よく管理できる。
【００８３】
（６）また、本実施形態では、図２に示すように、識別情報入力受付部３５７は、複数の被検者から識別情報の入力を受け付ける。記憶部には、識別情報入力受付部３５７により入力が受け付けられた各被検者の識別情報４１に対応付けて、排尿量情報４２及び付加情報４４が記憶される。
そのため、被検者が複数存在する場合であっても、被検者ごとに排尿量情報４２及び付加情報４４を管理できる。
その結果、各被検者に応じて排尿に関する情報を詳細に管理できる。
【００８４】
（７）また、本実施形態では、図１に示すように、被検者端末３は、体重計測部２とは分離して構成され、体重計測部２との間で通信可能である。
そのため、被検者端末３を独立して持ち運ぶことができる。
その結果、被検者が外出した場合などでも、外出先において、排尿量管理システム１を使用できる。
【００８５】
５．変形例
以上の実施形態では、被検者が外出したときには、情報読出部３５５は、入力された排尿量の評価が同一の評価である排尿情報４０を記憶部３４から読み出すとして説明したが、被検者が外出したときに情報読出部３５５が記憶部３４から読み出す排尿情報４０は、これに限られない。すなわち、被検者が外出したときには、情報読出部３５５は、記憶部３４に記憶されている過去の実測値である排尿量情報４２を含む排尿情報４０の全てを読み出してもよい。そして、推定値記憶処理部３５６は、情報読出部３５５が読み出した複数の排尿情報４０に含まれる排尿量情報４２から平均値を算出してもよい。
【００８６】
また、以上の実施形態では、被検者が排便したときには、情報読出部３５５は、記憶部３４に記憶されている過去の実測値である排尿量情報４２を含む排尿情報４０の全てを読み出すとして説明したが、被検者が排便したときに情報読出部３５５が記憶部３４から読み出す排尿情報４０は、これに限られない。すなわち、被検者が排便したときには、情報読出部３５５は、その際に入力された排尿量の評価が同一の評価である排尿情報４０を記憶部３４から読み出してもよい。そして、推定値記憶処理部３５６は、情報読出部３５５が読み出した複数の排尿情報４０に含まれる排尿量情報４２から平均値を算出してもよい。
【００８７】
また、以上の実施形態では、体重計測部２と被検者端末３との間は、無線による通信が可能であるとして説明したが、体重計測部２と被検者端末３との間は、有線による通信が可能であってもよい。体重計測部２と被検者端末３とが一体的に形成された構成とすることも可能である。
【００８８】
また、以上の実施形態では、記憶部３４に記憶される排尿情報４０は、インターネットＮを介してクラウドサーバ４に記憶されるとして説明したが、記憶部３４に記憶される排尿情報４０は、被検者端末３に取り付けられたＳＤカード又はＵＳＢ（Universal Serial Bus）メモリなどの携帯可能な記録媒体に記憶されてもよい。
【００８９】
また、以上の実施形態では、被検者による排尿量の評価の情報は、多い、普通、少ないの３つから選択可能であるとしたが、排尿量の評価の情報は、２つ以上から選択可能であればよい。
【００９０】
また、以上の実施形態では、被検者は、被検者端末３の操作表示部３２を手動で操作することにより情報を入力するとして説明したが、被検者が被検者端末３に対して音声により情報を入力する構成であってもよい。
【符号の説明】
【００９１】
１    排尿量管理システム
２    体重計測部
３    被検者端末
３４    記憶部
４１    識別情報
４２    排尿量情報
４４    付加情報
３５２    排尿量演算部
３５４    付加情報入力受付部
３５５    情報読出部
３５６    推定値記憶処理部
３５７    識別情報入力受付部
【図１】
2018175349.tif 000003
【図２】
2018175349.tif 000004
【図３】
2018175349.tif 000005
【図４】
2018175349.tif 000006
【図５】
2018175349.tif 000007